(57)【要約】      （修正有）【課題】第１電線と第２電線とをスリーブを介して接続する際に、第１電線および第２電線の弛みを抑制可能なスリーブ装着工具およびスリーブ装着方法を提供する。【解決手段】スリーブ装着工具１、１Ｂは、スリーブ支持具２１を備えた基部２と、基部の一方側に配置され、基部に対してスライド移動可能な第１スライド棒４と、基部の他方側に配置され、基部に対してスライド移動可能な第２スライド棒５と、スライド棒操作部６とを具備する。スライド棒操作部は、第１スライド棒のスライド移動と第２スライド棒のスライド移動とを独立して操作可能である。【選択図】図２
2019176595.tif 000002
【特許請求の範囲】
【請求項１】
スリーブ支持具を備えた基部と、
前記基部の一方側に配置され、前記基部に対してスライド移動可能な第１スライド棒と、
前記基部の他方側に配置され、前記基部に対してスライド移動可能な第２スライド棒と、
スライド棒操作部と
を具備し、
前記スライド棒操作部は、前記第１スライド棒のスライド移動と前記第２スライド棒のスライド移動とを独立して操作可能である
スリーブ装着工具。
【請求項２】
前記基部は、電線の露出心線を支持する心線支持具を備える
請求項１に記載のスリーブ装着工具。
【請求項３】
前記心線支持具は、
第１電線の露出心線を支持する第１心線支持具と、
第２電線の露出心線を支持する第２心線支持具と
を含み、
前記スリーブ支持具は、前記第１心線支持具と前記第２心線支持具との間に配置されている
請求項２に記載のスリーブ装着工具。
【請求項４】
前記第１スライド棒の端部に第１電線把持具が接続されているか、あるいは、前記第１スライド棒の端部に第１電線把持具を取り付け可能であり、
前記第２スライド棒の端部に第２電線把持具が接続されているか、あるいは、前記第２スライド棒の端部に第２電線把持具を取り付け可能である
請求項１乃至３のいずれか一項に記載のスリーブ装着工具。
【請求項５】
前記スライド棒操作部は、
前記第１スライド棒をスライド移動させる第１スライド棒操作部と、
前記第２スライド棒をスライド移動させる第２スライド棒操作部と
を含むか、あるいは、
前記スライド棒操作部は、前記第１スライド棒を駆動する第１荷重伝達機構、または、前記第２スライド棒を駆動する第２荷重伝達機構に、選択的に連結可能である
請求項１乃至４のいずれか一項に記載のスリーブ装着工具。
【請求項６】
スリーブカバーを把持するスリーブカバー把持具を更に具備する
請求項１乃至５のいずれか一項に記載のスリーブ装着工具。
【請求項７】
前記基部が、略中央部分で分割、或いは、折り曲げ可能である
請求項１乃至６のいずれか一項に記載のスリーブ装着工具。
【請求項８】
前記スリーブ支持具は、前記基部の棒状部に着脱可能な取付部を備える
請求項１乃至７のいずれか一項に記載のスリーブ装着工具。
【請求項９】
前記スリーブ支持具を開閉する揺動式の操作レバーを更に具備する
請求項１乃至８のいずれか一項に記載のスリーブ装着工具。
【請求項１０】
スリーブ装着工具を用いたスリーブ装着方法であって、
前記スリーブ装着工具は、
スリーブ支持具を備えた基部と、
前記基部の一方側に配置され、前記基部に対してスライド移動可能な第１スライド棒と、
前記基部の他方側に配置され、前記基部に対してスライド移動可能な第２スライド棒と、
前記第１スライド棒の端部に接続された第１電線把持具と、
前記第２スライド棒の端部に接続された第２電線把持具と
を具備し、
前記スリーブ装着方法は、
前記スリーブ支持具によってスリーブを支持する工程と、
前記第２スライド棒が前記基部に対して相対移動しない状態で前記第１スライド棒を前記基部側に引き込んで、前記第１電線把持具によって把持された第１電線を第２方向に移動させることにより、前記第１電線の露出心線を前記スリーブの第１端部に挿入する工程と、
前記第１スライド棒が前記基部に対して相対移動しない状態で前記第２スライド棒を前記基部側から突出する方向に移動させることにより、前記第２電線把持具によって把持された第２電線を前記第２方向に移動させる工程と、
前記第１スライド棒が前記基部に対して相対移動しない状態で前記第２スライド棒を前記基部側に引き込んで、前記第２電線把持具によって把持された前記第２電線を前記第２方向とは反対方向である第１方向に移動させることにより、前記第２電線の露出心線を前記スリーブの第２端部に挿入する工程と
を具備する
スリーブ装着方法。
【発明の詳細な説明】
【技術分野】
【０００１】
本発明は、スリーブを電線に装着するスリーブ装着工具、および、スリーブ装着方法に関する。
【背景技術】
【０００２】
電線の切分工法が知られている。電線の切分工法では、架空電線が第１電線と、第２電線とに切り分けられる。架空電線の接地側において必要な作業が行われた後、切り分けられた第１電線と第２電線とは、スリーブを介して接続される。
【０００３】
関連する技術として、特許文献１には、架線工事方法が記載されている。特許文献１に記載の架線工事方法では、一方の被覆電線の被覆部が一方の把持器によって把持され、他方の被覆電線の心線に筒状の接続スリーブが装着された状態で他方の被覆電線の被覆部が他方の把持器によって把持される。その後、伸縮器の操作部を遠隔操作具で回転操作することにより、一方の把持器と他方の把持器との間の距離が小さくなり、接続スリーブの一端の開口から一方の被覆電線の心線が接続スリーブ内に挿入される。
【０００４】
また、特許文献２には、電線切り分け工事用柱間引留工具が記載されている。特許文献２に記載の工具は、操作軸を備えた伸縮操作体と、伸縮操作体の両側に接続された内外筒よりなる一対の伸縮棒とを備える。また、伸縮操作体の両側の内筒の自由端がわには、それぞれ、電線用把持部材が取り付けられ、かつ、内筒の基端がわ内周面には、それぞれ、メネジ部が形成されている。当該メネジ部には、伸縮操作体の両側の内筒を対称かつ同時に伸縮作動させる同軸状のネジ軸が、それぞれ螺合されている。工具の使用に際しては、操作軸を操作させて、ネジ軸を所定方向に螺動させることにより、伸縮操作体の両側の伸縮棒を収縮させる。こうして、２つの電線用把持部材間の距離が小さくなり、２つの電線用把持部材によって把持された電線を弛めて所要の切分け作業を行うことができる。
【先行技術文献】
【特許文献】
【０００５】
【特許文献１】特開２０１０−５１０８１号公報
【特許文献２】特開２０１５−７０６５１号公報
【発明の概要】
【発明が解決しようとする課題】
【０００６】
第１電線と第２電線とを、スリーブを介して接続する場合、一般的には、第１電線の端部と第２電線の端部との間にスリーブを配置するために、第１電線の端部と第２電線の端部とをスリーブの長さ以上離間させる必要がある。当該離間動作を、従来の電線切分工具を用いて行う場合、電線切分工具の伸縮棒を、スリーブの長さ以上伸長させればよい。しかし、伸縮棒を大きく伸長させると、第１電線および第２電線の弛み（すなわち、弛度）が大きくなり、弛んだ電線が、下方に位置する電線等に接近または接触してしまう可能性がある。
【０００７】
そこで、本発明の目的は、第１電線と第２電線とをスリーブを介して接続する際に、第１電線および第２電線の弛みを抑制可能なスリーブ装着工具およびスリーブ装着方法を提供することである。
【課題を解決するための手段】
【０００８】
本発明は、以下に示す、スリーブ装着工具、および、スリーブ装着方法に関する。
【０００９】
（１）スリーブ支持具を備えた基部と、
前記基部の一方側に配置され、前記基部に対してスライド移動可能な第１スライド棒と、
前記基部の他方側に配置され、前記基部に対してスライド移動可能な第２スライド棒と、
スライド棒操作部と
を具備し、
前記スライド棒操作部は、前記第１スライド棒のスライド移動と前記第２スライド棒のスライド移動とを独立して操作可能である
スリーブ装着工具。
（２）前記基部は、電線の露出心線を支持する心線支持具を備える
上記（１）に記載のスリーブ装着工具。
（３）前記心線支持具は、
第１電線の露出心線を支持する第１心線支持具と、
第２電線の露出心線を支持する第２心線支持具と
を含み、
前記スリーブ支持具は、前記第１心線支持具と前記第２心線支持具との間に配置されている
上記（２）に記載のスリーブ装着工具。
（４）前記第１スライド棒の端部に第１電線把持具が接続されているか、あるいは、前記第１スライド棒の端部に第１電線把持具を取り付け可能であり、
前記第２スライド棒の端部に第２電線把持具が接続されているか、あるいは、前記第２スライド棒の端部に第２電線把持具を取り付け可能である
上記（１）乃至（３）のいずれか一つに記載のスリーブ装着工具。
（５）前記スライド棒操作部は、
前記第１スライド棒をスライド移動させる第１スライド棒操作部と、
前記第２スライド棒をスライド移動させる第２スライド棒操作部と
を含むか、あるいは、
前記スライド棒操作部は、前記第１スライド棒を駆動する第１荷重伝達機構、または、前記第２スライド棒を駆動する第２荷重伝達機構に、選択的に連結可能である
上記（１）乃至（４）のいずれか一つに記載のスリーブ装着工具。
（６）スリーブカバーを把持するスリーブカバー把持具を更に具備する
上記（１）乃至（５）のいずれか一つに記載のスリーブ装着工具。
（７）前記基部が、略中央部分で分割、或いは、折り曲げ可能である
上記（１）乃至（６）のいずれか一つに記載のスリーブ装着工具。
（８）前記スリーブ支持具は、前記基部の棒状部に着脱可能な取付部を備える
上記（１）乃至（７）のいずれか一つに記載のスリーブ装着工具。
（９）前記スリーブ支持具を開閉する揺動式の操作レバーを更に具備する
上記（１）乃至（８）のいずれか一項に記載のスリーブ装着工具。
（１０）スリーブ装着工具を用いたスリーブ装着方法であって、
前記スリーブ装着工具は、
スリーブ支持具を備えた基部と、
前記基部の一方側に配置され、前記基部に対してスライド移動可能な第１スライド棒と、
前記基部の他方側に配置され、前記基部に対してスライド移動可能な第２スライド棒と、
前記第１スライド棒の端部に接続された第１電線把持具と、
前記第２スライド棒の端部に接続された第２電線把持具と
を具備し、
前記スリーブ装着方法は、
前記スリーブ支持具によってスリーブを支持する工程と、
前記第２スライド棒が前記基部に対して相対移動しない状態で前記第１スライド棒を前記基部側に引き込んで、前記第１電線把持具によって把持された第１電線を第２方向に移動させることにより、前記第１電線の露出心線を前記スリーブの第１端部に挿入する工程と、
前記第１スライド棒が前記基部に対して相対移動しない状態で前記第２スライド棒を前記基部側から突出する方向に移動させることにより、前記第２電線把持具によって把持された第２電線を前記第２方向に移動させる工程と、
前記第１スライド棒が前記基部に対して相対移動しない状態で前記第２スライド棒を前記基部側に引き込んで、前記第２電線把持具によって把持された前記第２電線を前記第２方向とは反対方向である第１方向に移動させることにより、前記第２電線の露出心線を前記スリーブの第２端部に挿入する工程と
を具備する
スリーブ装着方法。
【発明の効果】
【００１０】
本発明により、第１電線と第２電線とをスリーブを介して接続する際に、第１電線および第２電線の弛みを抑制可能なスリーブ装着工具およびスリーブ装着方法を提供できる。
【図面の簡単な説明】
【００１１】
【図１】図１（ａ）乃至図１（ｄ）は、第１の実施形態におけるスリーブ装着工具の概略正面図である。
【図２】図２は、第２の実施形態におけるスリーブ装着工具の概略正面図である。
【図３】図３は、スリーブ支持具および心線支持具の一例を示す概略正面図である。
【図４】図４は、スリーブ支持具の一例を示す概略側面図である。
【図５】図５は、心線支持具の一例を示す概略側面図である。
【図６】図６は、電線支持具の一例を示す概略側面図である。
【図７】図７は、スリーブカバー把持具の一例を示す概略２面図である。図７の左側には、正面図が記載され、図７の右側には側面図が記載されている。
【図８】図８は、第２の実施形態におけるスリーブ装着方法の一例を示すフローチャートである。
【図９】図９は、スリーブ装着方法の一工程を示す図である。
【図１０】図１０は、スリーブ装着方法の一工程を示す図である。
【図１１】図１１は、スリーブ装着方法の一工程を示す図である。
【図１２】図１２は、スリーブ装着方法の一工程を示す図である。
【図１３】図１３は、スリーブ装着方法の一工程を示す図である。
【図１４】図１４は、スリーブ装着方法の一工程を示す図である。
【図１５】図１５は、スリーブ装着方法の一工程を示す図である。
【図１６】図１６は、スリーブ装着方法の一工程を示す図である。
【図１７】図１７は、スリーブ装着方法の一工程を示す図である。
【図１８】図１８は、１つのスライド棒操作部が、第１スライド棒および第２スライド棒の各々を独立的に操作可能である様子を模式的に示す概略縦断面図である。
【図１９】図１９は、スリーブ支持具および心線支持具のうちの少なくとも一方を基部の棒状部に取り付ける取付部の変形例を模式的に示す概略側面図である。
【図２０】図２０は、スリーブ支持具および心線支持具のうちの少なくとも一方を開閉する開閉操作機構の変形例を模式的に示す概略側面図である。なお、図２０において、開閉操作機構の内部構造が理解しやすいように、一部分（より具体的には、第１分割体、第２分割体）については断面図が示されている。
【発明を実施するための形態】
【００１２】
以下、図面を参照しつつ、実施形態におけるスリーブ装着工具１、および、スリーブ装着方法について、詳しく説明する。なお、本明細書において、同種の機能を有する部材には、同一または類似の符号が付されている。そして、同一または類似の符号の付された部材について、繰り返しとなる説明が省略される場合がある。
【００１３】
（方向の定義）
本明細書において、第２スライド棒５から第１スライド棒４に向かう方向を「第１方向」と定義し、第１スライド棒４から第２スライド棒５に向かう方向を「第２方向」と定義する。
【００１４】
（第１の実施形態）
図１を参照して、第１の実施形態におけるスリーブ装着工具１Ａについて説明する。図１（ａ）乃至図１（ｄ）は、第１の実施形態におけるスリーブ装着工具１Ａの概略正面図である。
【００１５】
第１の実施形態におけるスリーブ装着工具１Ａは、基部２と、第１スライド棒４と、第２スライド棒５と、スライド棒操作部６と、第１電線把持具７ａと、第２電線把持具７ｂとを具備する。
【００１６】
基部２は、スリーブＳＶを支持するスリーブ支持具２１と、露出心線ＷＣを支持する心線支持具２６とを備える。
【００１７】
図１に記載の例では、基部２の第１方向側の端部に、スリーブＳＶの一端を支持する第１スリーブ支持具２１ａが設けられ、かつ、基部２の第２方向側の端部に、スリーブＳＶの他端を支持する第２スリーブ支持具２１ｂが設けられている。図１に記載の例では、基部２が、２個のスリーブ支持具（２１ａ、２１ｂ）を備えているが、基部２が備えるスリーブ支持具の数は１個または３個以上であってもよい。また、基部２における各スリーブ支持具の配置は、図１に記載の例に限定されず任意である。
【００１８】
図１に記載の例では、基部２の第１方向側の端部に、第１電線Ｗ１の露出心線ＷＣ１を支持する第１心線支持具２６ａが設けられ、かつ、基部２の第２方向側の端部に、第２電線Ｗ２の露出心線ＷＣ２を支持する第２心線支持具２６ｂが設けられている。図１に記載の例では、基部２が、２個の心線支持具（２６ａ、２６ｂ）を備えているが、基部２が備える心線支持具の数は３個以上であってもよい。図１に記載の例では、第１心線支持具２６ａが、スリーブ支持具２１（より具体的には、第１スリーブ支持具２１ａ）の第１方向側に配置され、第２心線支持具２６ｂが、スリーブ支持具２１（より具体的には、第２スリーブ支持具２１ｂ）の第２方向側に配置されている。換言すれば、スリーブ支持具２１は、第１心線支持具２６ａと第２心線支持具２６ｂとの間に配置されている。
【００１９】
図１に記載の例では、スリーブ支持具２１と、心線支持具２６とが別体であるが、スリーブ支持具２１と心線支持具２６とが一体であってもよい。換言すれば、スリーブ支持具２１の少なくとも一部と心線支持具２６の少なくとも一部とが共通化されていてもよい。
【００２０】
なお、露出心線ＷＣの中心軸とスリーブＳＶの中心軸との整合状態の維持が、遠隔操作工具を用いて行われる場合、あるいは、スリーブ支持具２１が心線支持具の機能を兼ね備える場合等には、心線支持具２６は省略されても構わない。
【００２１】
第１スライド棒４は、基部２の一方側（図１に記載の例では、第１方向側）に配置され、基部２に対してスライド移動可能な部材である。第１スライド棒４は、スライド棒操作部６を操作することにより、基部２の第１方向側端部２０ａからの突出量が変化する。図１に記載の例では、スライド棒操作部６（より具体的には、第１スライド棒操作部６ａ）を第１操作方向Ｒ１に操作すると、第１スライド棒４が基部２側に引き込まれる。その結果、第１方向側端部２０ａからの第１スライド棒４の突出量が減少する。他方、スライド棒操作部６（より具体的には、第１スライド棒操作部６ａ）を第２操作方向に操作すると、第１スライド棒４が基部２側から突出する方向に移動する。その結果、第１方向側端部２０ａからの第１スライド棒４の突出量が増加する。
【００２２】
第２スライド棒５は、基部２の他方側（図１に記載の例では、第２方向側）に配置され、基部２に対してスライド移動可能な部材である。第２スライド棒５は、スライド棒操作部６を操作することにより、基部２の第２方向側端部２０ｂからの突出量が変化する。図１に記載の例では、スライド棒操作部６（より具体的には、第２スライド棒操作部６ｂ）を第１操作方向Ｒ３に操作すると、第２スライド棒５が基部２側に引き込まれる。その結果、第２方向側端部２０ｂからの第２スライド棒５の突出量が減少する。他方、スライド棒操作部６（より具体的には、第２スライド棒操作部６ｂ）を第２操作方向Ｒ４に操作すると、第２スライド棒５が基部２側から突出する方向に移動する。その結果、第２方向側端部２０ｂからの第２スライド棒５の突出量が増加する。
【００２３】
スライド棒操作部６は、第１スライド棒４および第２スライド棒５をスライド移動させる操作部である。図１に記載の例では、スライド棒操作部６は、第１スライド棒４をスライド移動させる第１スライド棒操作部６ａと、第２スライド棒５をスライド移動させる第２スライド棒操作部６ｂとを備える。そして、第１スライド棒４のスライド移動と第２スライド棒５のスライド移動とが独立して操作される。より具体的には、第１スライド棒操作部６ａが操作されると、第１スライド棒４は基部２に対して相対移動するが、第２スライド棒５は基部２に対して相対移動しない。また、第２スライド棒操作部６ｂが操作されると、第２スライド棒５は基部２に対して相対移動するが、第１スライド棒４は基部２に対して相対移動しない。
【００２４】
なお、スリーブ装着工具１Ａが、スライド棒操作部６に作用する操作力を第１スライド棒４または第２スライド棒５のうちのいずれか一方に選択的に伝達する機構を有する場合等には、第１スライド棒操作部６ａと第２スライド棒操作部６ｂとが共通化されてもよい。
【００２５】
第１電線把持具７ａは、第１電線Ｗ１（より具体的には、第１電線Ｗ１のうち心線が露出していない部分ＷＰ１）を把持する。第１電線把持具７ａは、第１スライド棒４の端部に接続される。よって、第１スライド棒４が基部２に対してスライド移動すると、第１電線把持具７ａは基部２に対して相対移動する。図１に記載の例では、スリーブ装着工具１Ａが、第１電線把持具７ａを備えている。代替的に、出荷状態等において、スリーブ装着工具１Ａが第１電線把持具７ａを備えておらず、スリーブ装着工具１Ａが、既存の第１電線把持具に取り付けられるように構成されてもよい。
【００２６】
第２電線把持具７ｂは、第２電線Ｗ２（より具体的には、第２電線Ｗ２のうち心線が露出していない部分ＷＰ２）を把持する。第２電線把持具７ｂは、第２スライド棒５の端部に接続される。よって、第２スライド棒５が基部２に対してスライド移動すると、第２電線把持具７ｂは基部２に対して相対移動する。図１に記載の例では、スリーブ装着工具１Ａが、第２電線把持具７ｂを備えている。代替的に、出荷状態等において、スリーブ装着工具１Ａが第２電線把持具７ｂを備えておらず、スリーブ装着工具１Ａが、既存の第２電線把持具に取り付けられるように構成されてもよい。
【００２７】
第１の実施形態におけるスリーブ装着工具１Ａでは、スライド棒操作部６は、第１スライド棒４のスライド移動と第２スライド棒５のスライド移動とを独立して操作可能である。よって、第１電線Ｗ１の露出心線ＷＣ１をスリーブＳＶに挿入するに際しては、第１スライド棒４を、スリーブＳＶの長さよりも短い距離だけ移動させればよく（図１（ａ）および図１（ｂ）を参照）、第２電線Ｗ２の露出心線ＷＣ２をスリーブＳＶに挿入するに際しては、第２スライド棒５を、スリーブＳＶの長さよりも短い距離だけ移動させればよい（図１（ｃ）および図１（ｄ）を参照）。このため、第１電線Ｗ１と第２電線Ｗ２とをスリーブＳＶを介して接続する工程において、第１電線把持具７ａと第２電線把持具７ｂとの間の距離の拡大を、従来と比較して抑制することができる。その結果、第１電線Ｗ１および第２電線Ｗ２の全体の弛みを抑制することができる。
【００２８】
また、第１の実施形態におけるスリーブ装着工具１Ａの基部２は、略中央部分で分割、或いは、折り曲げ可能としてもよい。分割可能とする場合、例えば、基部２の分割体の一方に凹部、分割体の他方に凸部を設け、凹部と凸部を係合後にネジ等で固定すればよい。或いは、分割体の形状を、第１方向および第２方向に力をかけた際に分割体が互いに分離されない形状とし、一方の分割体を他方の分割体に対して、第１方向および第２方向の鉛直方向に移動させることにより両分割体を結合可能および／または分離可能としてもよい。また、折り曲げ可能とする場合には、略中央部分で基部２が折り曲がるように、ヒンジ等で接合すればよい。基部２の略中央部分で分割、或いは、折り曲げ可能とすることでスリーブ装着工具１Ａを２つ折りにできるので、持ち運び時や保管時に、スリーブ装着工具１Ａをコンパクトにすることができる。
【００２９】
また、露出心線ＷＣの末端は、径外方向に広がる傾向があり、従来、露出心線ＷＣの内径よりも僅かに大きなスリーブ開口部に露出心線ＷＣを挿入する作業は容易ではなかった。これに対し、第１の実施形態において、スリーブ装着工具１Ａが心線支持具２６を備える場合には、露出心線ＷＣをスリーブＳＶに挿入する工程において、露出心線ＷＣとスリーブＳＶとの間の心出しを容易に行うことができる。このため、スリーブ開口部に露出心線ＷＣを挿入する作業が容易となる。より具体的には、スリーブＳＶがスリーブ支持具２１によって支持され、露出心線ＷＣが心線支持具２６によって支持された状態でスライド棒（第１スライド棒４または第２スライド棒５）を基部２側に引き込めば、自動的に、露出心線ＷＣがスリーブＳＶに挿入される。このため、作業者は、容易に露出心線ＷＣをスリーブＳＶに挿入することができる。
【００３０】
（スリーブ装着方法）
図１を参照して、第１の実施形態におけるスリーブ装着方法について説明する。
【００３１】
第１ステップＳＴ１において、スリーブＳＶがスリーブ支持具２１によって支持される。図１（ａ）には、第１ステップＳＴ１が実行された後の状態が示されている。
【００３２】
第２ステップＳＴ２において、第１スライド棒４を基部２側に引き込んで、第１電線把持具７ａによって把持された第１電線Ｗ１を第２方向に移動させることにより、第１電線Ｗ１の露出心線ＷＣ１をスリーブＳＶの第１端部に挿入する。図１（ｂ）には、第２ステップＳＴ２が実行された後の状態が示されている。なお、第２ステップＳＴ２は、例えば、スライド棒操作部６（より具体的には、第１スライド棒操作部６ａ）を操作することによって行われる。
【００３３】
第３ステップＳＴ３において、第２スライド棒５を基部２側から突出する方向に移動させることにより、第２電線把持具７ｂによって把持された第２電線Ｗ２を第２方向に移動させる。図１（ｃ）には、第３ステップＳＴ３が実行された後の状態が示されている。なお、第３ステップＳＴ３は、例えば、スライド棒操作部６（より具体的には、第２スライド棒操作部６ｂ）を操作することによって行われる。
【００３４】
なお、第３ステップＳＴ３の実行後に、露出心線ＷＣ２の端部と、スリーブＳＶの第２方向側端部とが互いに対向していない場合には、遠隔操作工具を用いて、露出心線ＷＣ２の端部をスリーブＳＶの第２方向側端部と対向する位置に移動させればよい。より具体的には、遠隔操作工具を用いて、露出心線ＷＣ２の端部を移動させて、当該端部を第２心線支持具２６ｂに支持させればよい。
【００３５】
第４ステップＳＴ４において、第２スライド棒５を基部２側に引き込んで、第２電線把持具７ｂによって把持された第２電線Ｗ２を第１方向に移動させることにより、第２電線Ｗ２の露出心線ＷＣ２をスリーブＳＶの第２端部に挿入する。図１（ｄ）には、第４ステップＳＴ４が実行された後の状態が示されている。なお、第４ステップＳＴ４は、例えば、スライド棒操作部６（より具体的には、第２スライド棒操作部６ｂ）を操作することによって行われる。
【００３６】
以上のとおり、第１の実施形態におけるスリーブ装着方法では、第１電線Ｗ１および第２電線Ｗ２の全体の弛みを抑制しつつ、簡単な操作で、第１電線Ｗ１の露出心線ＷＣ１および第２電線Ｗ２の露出心線ＷＣ２にスリーブＳＶを装着することができる。
【００３７】
（第２の実施形態）
図２乃至図７を参照して、第２の実施形態におけるスリーブ装着工具１Ｂについて説明する。図２は、第２の実施形態におけるスリーブ装着工具１Ｂの概略正面図である。図３は、スリーブ支持具２１および心線支持具２６の一例を示す概略正面図である。図４は、スリーブ支持具２１の一例を示す概略側面図である。図５は、心線支持具２６の一例を示す概略側面図である。図６は、電線支持具８の一例を示す概略側面図である。図７は、スリーブカバー把持具９の一例を示す概略２面図である。図７の左側には、正面図が記載され、図７の右側には側面図が記載されている。
【００３８】
第２の実施形態の各部材に関し、第１の実施形態に記載の部材と同様の機能を有する部材については、第１の実施形態において使用された符号と同一の符号を付し、同一の符号が付された部材についての繰り返しとなる説明は省略する。
【００３９】
第２の実施形態におけるスリーブ装着工具１Ｂは、基部２と、第１スライド棒４と、第２スライド棒５と、スライド棒操作部６とを備える。スリーブ装着工具１Ｂは、第１電線把持具７ａ、第２電線把持具７ｂ、電線支持具８、および、スリーブカバー把持具９のうちの少なくとも１つを備えていてもよい。
【００４０】
（基部２）
図２に記載の例において、基部２は、第１方向に沿って延在する棒状部２０と、スリーブ支持具２１と、心線支持具２６と、スライド棒操作部６とを備える。
【００４１】
図２に記載の例では、棒状部２０は、第１方向側端部２０ａと第２方向側端部２０ｂとを備え、少なくとも一部が中空である管状体である。棒状部２０は、ＦＲＰ製（繊維強化プラスチック製）であってもよいし、金属製であってもよい。
【００４２】
続いて、図３乃至図５を参照して、スリーブ支持具２１および心線支持具２６について説明する。
【００４３】
図３に記載の例では、スリーブ支持具２１は、棒状部２０に取り付けられる取付部２３と、スリーブＳＶ等を支持する支持部２１０とを備える。取付部２３には、棒状部２０の一部を受容する貫通孔２３１が設けられている（図４を参照）。スリーブ支持具２１は、棒状部２０に対して、第１方向に沿って位置調整可能であってもよい。この場合、実際に使用するスリーブＳＶの長さに対応して、スリーブ支持具２１の位置を調整することができる。よって、スリーブ装着工具１Ｂの汎用性が向上する。また、スリーブ支持具２１は、棒状部２０に対して着脱自在であってもよい。この場合、実際に使用するスリーブＳＶの径に対応して最適なスリーブ支持具２１を棒状部２０に取り付けることが可能となる。よって、スリーブ装着工具１Ｂの汎用性が向上する。
【００４４】
支持部２１０には、閉状態と開状態との間で、支持部の状態を変化させるスリーブ支持具操作部２１２が設けられている。支持部２１０が閉状態にあるとき、支持部２１０はスリーブＳＶを拘束し、スリーブＳＶは支持部２１０に対して実質的に相対移動することができない。他方、支持部２１０が開状態にあるとき、支持部２１０にスリーブＳＶを載置したり、支持部２１０からスリーブＳＶを取り外したりすることが可能である。図３に記載の例では、スリーブ支持具操作部２１２は、遠隔操作工具の先端を受け入れ可能な貫通孔を有するアイボルト（ｅｙｅ  ｂｏｌｔ）またはアイナット（ｅｙｅ  ｎｕｔ）である。
【００４５】
図３に記載の例では、支持部２１０は、スリーブＳＶを支持する第１部分２１４と、露出心線ＷＣが挿通される第２部分２１６とを備える。また、図３に記載の例では、第２部分２１６の内面は、第１部分２１４に向かうにつれて縮径するテーパ面２１６ａを備えている。第２部分２１６がテーパ面２１６ａを備えることにより、露出心線ＷＣの末端に広がりや曲がりのある場合でも、第２部分２１６への露出心線ＷＣの挿入が円滑に行われる。なお、第２部分２１６の内面によって規定される心線案内路２１７と、第１部分２１４の内面によって規定されるスリーブ受容部２１５とは、互いに連通している。第１部分２１４の内面は、スリーブＳＶの端面に対向することとなる端面支持面２１４ａと、スリーブＳＶの外周面と対向することとなる外周面支持面２１４ｂとを備えていることが好ましい。
【００４６】
図３に記載の例では、心線支持具２６は、基部２の棒状部２０に取り付けられる取付部２３と、露出心線ＷＣおよび／または被覆電線を支持する支持部２６０とを備える。図３に記載の例では、心線支持具２６の取付部２３と、スリーブ支持具２１の取付部２３とが同一である。換言すれば、心線支持具２６とスリーブ支持具２１とが、取付部２３を共用している。この場合、スリーブ支持具２１と心線支持具２６との間の位置関係を維持した状態で、取付部２３を、棒状部２０に取り付けることができる。なお、図１に記載の例のように、心線支持具２６の取付部と、スリーブ支持具２１の取付部とが別体であっても構わない。
【００４７】
支持部２６０には、閉状態と開状態との間で、支持部の状態を変化させる心線支持具操作部２６２が設けられている。支持部２６０が閉状態にあるとき、支持部２６０は露出心線ＷＣおよび／または被覆電線を拘束し、露出心線ＷＣは第１方向に垂直な方向に支持部２６０に対して相対移動することができない。他方、支持部２６０が開状態にあるとき、支持部２６０に露出心線ＷＣおよび／または被覆電線を載置したり、支持部２６０から露出心線ＷＣおよび／または被覆電線を取り外したりすることが可能である。図３に記載の例では、心線支持具操作部２６２は、遠隔操作工具の先端を受け入れ可能な貫通孔を有するアイボルト（ｅｙｅ  ｂｏｌｔ）またはアイナット（ｅｙｅ  ｎｕｔ）である。
【００４８】
支持部２６０は、露出心線ＷＣおよび／または被覆電線が挿通される心線受容部２６７を備えることが好ましい。なお、図３には図示されていないが、心線受容部２６７の内面は、スリーブＳＶの支持部２１０に向かうにつれて縮径するテーパ面を備えていてもよい。心線受容部２６７がテーパ面を備える場合、心線受容部２６７への露出心線ＷＣの挿入が円滑に行われる。
【００４９】
図３に記載の例では、心線支持具２６の支持部２６０と、スリーブ支持具２１の支持部２１０との間に、隙間Ｇが設けられている。当該隙間Ｇの存在により、作業者は、心線支持具２６側から挿入された露出心線ＷＣが、スリーブ支持具２１に達しているか否かを確認することができる。換言すれば、作業者は、スリーブＳＶに露出心線ＷＣを挿入する作業が順調に進んでいるか否かを確認することができる。なお、隙間Ｇはなくてもよい。
【００５０】
図４を参照して、スリーブ支持具２１について、更に説明する。図４に記載の例では、スリーブＳＶを支持する支持部２１０が、第１分割体２１８ａと第２分割体２１８ｂとを備える。そして、スリーブ支持具操作部２１２を操作することにより、第１分割体２１８ａと第２分割体２１８ｂとの間の間隔を調整可能である。図４に記載の例では、第１分割体２１８ａと第２分割体２１８ｂとが、第１方向に垂直な方向（第３方向）に沿って近接可能かつ離間可能である。なお、第１分割体２１８ａと第２分割体２１８ｂとの間の間隔が小さくなった状態が、スリーブＳＶが拘束される閉状態に対応し、第１分割体２１８ａと第２分割体２１８ｂとの間の間隔が拡大された状態が、スリーブＳＶの拘束が解除される開状態に対応する。
【００５１】
図４に示されるように、第１分割体２１８ａと第２分割体２１８ｂのうちの一方には、スリーブ受容部２１５へのスリーブＳＶの挿入を案内するガイド部材２１９（例えば、ガイド板）が設けられていてもよい。第１分割体２１８ａと第２分割体２１８ｂのうちの一方が、ガイド部材２１９を備えることにより、スリーブ受容部２１５へのスリーブＳＶの挿入が円滑に行われる。なお、図４に記載の例では、ガイド部材２１９は、第３方向に垂直なガイド表面２１９ｃを備えている。
【００５２】
図５を参照して、心線支持具２６について、更に説明する。図５に記載の例では、露出心線ＷＣおよび／または被覆電線を支持する支持部２６０が、第１分割体２６８ａと第２分割体２６８ｂとを備える。そして、心線支持具操作部２６２を操作することにより、第１分割体２６８ａと第２分割体２６８ｂとの間の間隔を調整可能である。図５に記載の例では、第１分割体２６８ａと第２分割体２６８ｂとが、第１方向に垂直な方向（第３方向）に沿って近接可能かつ離間可能である。なお、第１分割体２６８ａと第２分割体２６８ｂとの間の間隔が小さくなった状態が、露出心線ＷＣおよび／または被覆電線が拘束される閉状態に対応し、第１分割体２６８ａと第２分割体２６８ｂとの間の間隔が拡大された状態が、露出心線ＷＣおよび／または被覆電線の拘束が解除される開状態に対応する。
【００５３】
図５に示されるように、第１分割体２６８ａと第２分割体２６８ｂのうちの一方には、心線受容部２６７への露出心線ＷＣおよび／または被覆電線の挿入を案内するガイド部材２６９（例えば、ガイド板）が設けられていてもよい。第１分割体２６８ａと第２分割体２６８ｂのうちの一方が、ガイド部材２６９を備えることにより、心線受容部２６７への露出心線ＷＣおよび／または被覆電線の挿入が円滑に行われる。なお、図５に記載の例では、ガイド部材２６９は、第３方向に垂直なガイド表面２６９ｃを備えている。
【００５４】
図３乃至図５に記載のスリーブ支持具２１および／または心線支持具２６は、図２に記載の第２スリーブ支持具２１ｂおよび／または第２心線支持具２６ｂとして採用可能である。また、図３乃至図５に記載のスリーブ支持具２１および／または心線支持具２６の鏡像体は、図２に記載の第１スリーブ支持具２１ａおよび／または第１心線支持具２６ａとして採用可能である。
【００５５】
なお、図２乃至図５に記載の例では、スリーブ支持具操作部２１２と、心線支持具操作部２６２とが別々の操作部である。代替的に、スリーブ支持具操作部２１２と心線支持具操作部２６２とが１つの操作部によって構成されていてもよい。この場合、１つの操作部を操作することにより、第１分割体２１８ａと第２分割体２１８ｂとの間の間隔と、第１分割体２６８ａと第２分割体２６８ｂとの間の間隔とが、同時に調整される。なお、一方のスリーブ支持具および心線支持具（例えば、第１スリーブ支持具２１ａおよび第１心線支持具２６ａ）に対応する操作部を一つの操作部により構成し、他方のスリーブ支持具および心線支持具（例えば、第２スリーブ支持具２１ｂおよび第２心線支持具２６ｂ）に対応する操作部を別々の操作部（２１２、２６２）によって構成してもよい。
【００５６】
（第１スライド棒４）
図２に示されるように、第１スライド棒４は、第１方向に沿って延在する細長部材である。第１スライド棒４は、中空であってもよいし中実であってもよい。図２に記載の例では、第１スライド棒４の一部が、基部２の内部に挿入されている。第１スライド棒４と、第１スライド棒操作部６ａとは、操作力伝達可能に構成されており、第１スライド棒操作部６ａを操作することにより、基部２からの第１スライド棒４の突出量が変化する。第１スライド棒４の先端部には、第１電線把持具７ａが接続されている。
【００５７】
（第２スライド棒５）
第２スライド棒５は、第２方向に沿って延在する細長部材である。第２スライド棒５は、中空であってもよいし中実であってもよい。図２に記載の例では、第２スライド棒５の一部が、基部２の内部に挿入されている。第２スライド棒５と、第２スライド棒操作部６ｂとは、操作力伝達可能に構成されており、第２スライド棒操作部６ｂを操作することにより、基部２からの第２スライド棒５の突出量が変化する。第２スライド棒５の先端部には、第２電線把持具７ｂが接続されている。
【００５８】
（スライド棒操作部６）
図２に記載の例では、第１スライド棒操作部６ａおよび第２スライド棒操作部６ｂの各々は、遠隔操作工具の先端を受け入れ可能な貫通孔を有するアイボルト（ｅｙｅ  ｂｏｌｔ）またはアイナット（ｅｙｅ  ｎｕｔ）を含む。
【００５９】
遠隔操作工具を用いて第１スライド棒操作部６ａを操作することにより、第１スライド棒４が基部２に対してスライド移動するメカニズムの一例について説明する。一例として、（Ａ）第１スライド棒操作部６ａには、当該第１スライド棒操作部６ａとともに回転軸ＡＸ１まわりを回転する第１傘歯車が設けられ、（Ｂ）基部２の内側には、第１傘歯車と荷重伝達可能に接続された第２傘歯車が配置され、（Ｃ）第２傘歯車は、外ねじが外周に配置されたねじ棒とともに、当該ねじ棒の長手方向軸まわりを回転し、（Ｄ）第１スライド棒４が、当該ねじ棒に螺合されている場合を想定する。この場合、遠隔操作工具によって、第１スライド棒操作部６ａを回転軸ＡＸ１まわりに回転させると、第１傘歯車が回転軸ＡＸ１まわりを回転し、第２傘歯車およびねじ棒が、ねじ棒の長手方向軸まわりを回転する。ねじ棒が回転すると、ねじ棒に螺合する第１スライド棒４が、基部２に引き込まれる方向（または基部２から突出する方向）に移動する。こうして、第１スライド棒４が、基部２に対して相対的にスライド移動する。
【００６０】
なお、第１スライド棒操作部６ａを操作することにより、第１スライド棒４を基部２に対してスライド移動させるメカニズムとして、上記メカニズム以外の任意のメカニズムが採用されてもよい。
【００６１】
遠隔操作工具を用いて第２スライド棒操作部６ｂを操作することにより、第２スライド棒５を基部２に対してスライド移動させるメカニズムとしては、第１スライド棒操作部６ａを操作することにより、第１スライド棒４を基部２に対してスライド移動させるメカニズムと同様のメカニズムを採用することが可能である。
【００６２】
（電線把持具７）
第１電線把持具７ａは、第１把持片７１と第２把持片７２とを備え、第１把持片７１と第２把持片７２とによって、第１電線Ｗ１（より具体的には、第１電線のうち心線が露出していない部分）が挟持される。図２に記載の例では、第１電線把持具７ａは、平行リンク機構を備えている。そして、第１把持片７１と第２把持片７２との間に配置された第１電線Ｗ１が第１電線把持具７ａに対して第１方向に移動しようとすると、当該平行リンク機構の作用により、第１把持片７１および第２把持片７２によって第１電線Ｗ１が挟持される力が増大する。
【００６３】
第１電線把持具７ａは、第１接続部７４を介して、第１スライド棒４に接続されている。なお、第１電線把持具７ａと第１スライド棒４との間の接続は、第１方向に垂直な揺動軸まわりに揺動可能な接続であってもよいし、揺動不能な接続であってもよい。第１電線把持具７ａは、スリーブ装着工具１Ｂに含まれていてもよいし、スリーブ装着工具１Ｂに含まれていなくてもよい。スリーブ装着工具１Ｂが、第１電線把持具７ａを含まない場合には、スリーブ装着工具１Ｂに、既存の第１電線把持具を取り付ければよい。
【００６４】
第２電線把持具７ｂは、第２接続部７６を介して、第２スライド棒５に接続されている。第２電線把持具７ｂの構成は、第１電線把持具７ａの構成と同様であるため、第２電線把持具７ｂについての繰り返しとなる説明は省略する。なお、第１電線把持具７ａと第１スライド棒４との間の接続、および、第２電線把持具７ｂと第２スライド棒５との間の接続のうちの一方の接続が、第１方向に垂直な揺動軸まわりに揺動可能な接続であり、他方の接続が、揺動不能な接続であってもよい。
【００６５】
（電線支持具８）
電線支持具８は、第１電線把持具７ａと第２電線把持具７ｂとの間の領域において、第１電線Ｗ１または第２電線Ｗ２を支持する部材である。電線支持具８は、電線（第１電線Ｗ１または第２電線Ｗ２）に直接接触することにより電線を支持する部材であってもよいし、電線の周囲を囲むことにより、電線の位置を規定する部材であってもよい。
【００６６】
図２に記載の例では、電線支持具８の個数は３個（第１電線支持具８ａ、第２電線支持具８ｂ、第３電線支持具８ｃ）である。代替的に、電線支持具８の数は、１個であってもよいし、２個であってもよいし、４個以上であってもよい。図２に記載の例では、各電線支持具（第１電線支持具８ａ、第２電線支持具８ｂ、第３電線支持具８ｃ等）が、スリーブ装着工具１Ｂの基部２に取り付けられている。また、第１電線支持具８ａが、第１心線支持具２６ａよりも第１方向側に配置され、第２電線支持具８ｂ（および、第３電線支持具８ｃ）が、第２心線支持具２６ｂよりも第２方向側に配置されている。
【００６７】
第１電線支持具８ａは、電線を切断することにより第１電線Ｗ１と第２電線Ｗ２とが形成される時、第１電線Ｗ１の端部を支持する（なお、「端部を支持する」ことには、「端部の位置を規定する」ことが包含される。）。第２電線支持具８ｂは、電線の切断後に、第２電線Ｗ２の端部を支持する（なお、「端部を支持する」ことには、「端部の位置を規定する」ことが包含される。）。
【００６８】
第３電線支持具８ｃは、基部２に対して、第２電線支持具８ｂと反対側に配置されている。換言すれば、第２電線支持具８ｂが基部２の上方に位置するとき、第３電線支持具８ｃが基部２の下方に位置するように構成されている。遠隔操作工具を用いて第２電線Ｗ２を移動させることにより、第２電線Ｗ２の端部の位置を、第２電線支持具８ｂによって支持される位置から、第３電線支持具８ｃによって支持される位置に変更する場合を想定する。この場合、第１電線支持具８ａによって支持される第１電線Ｗ１の端部と、第３電線支持具８ｃによって支持される第２電線Ｗ２の端部とが、好適に振り分けられる（例えば、上下に振り分けられる）。
【００６９】
代替的に、あるいは、付加的に、第１電線支持具８ａおよび／または第２電線支持具８ｂは、基部２の長手方向軸まわりに回転可能であってもよい。この場合、第１電線支持具８ａまたは第２電線支持具８ｂを基部２の長手方向軸まわりに回転させることにより、第１電線支持具８ａによって支持された第１電線Ｗ１の端部と、第２電線支持具８ｂによって支持された第２電線Ｗ２の端部とを振り分ける（例えば、上下に振り分ける）ことができる。なお、第１電線支持具８ａおよび／または第２電線支持具８ｂが、基部２の長手方向軸まわりに回転可能である場合には、第３電線支持具８ｃは省略されてもよい。
【００７０】
図６に記載の例では、第２電線支持具８ｂは、電線（例えば、第２電線Ｗ２）を受け入れる受容空間ＳＰを備える。図６に記載の例では、第２電線支持具８ｂは、枠部材８１ｂと、枠部材８１ｂの開口部を開閉自在な開閉部材８２ｂとを備える。そして、枠部材８１ｂと開閉部材８２ｂとによって、受容空間ＳＰが規定されている。
【００７１】
また、図６に記載の例では、第３電線支持具８ｃは、電線（例えば、第２電線Ｗ２）を受け入れる受容空間を備える。図６に記載の例では、第３電線支持具８ｃは、枠部材８１ｃと、枠部材８１ｃの開口部を開閉自在な開閉部材８２ｃとを備える。そして、枠部材８１ｃと開閉部材８２ｃとによって、受容空間が規定されている。図２および図６に記載の例では、第３電線支持具８ｃは、第２電線支持具８ｂと一体的に構成されている。代替的に、第３電線支持具８ｃは、第１電線支持具８ａと一体的に構成されてもよいし、あるいは、第１電線支持具８ａおよび第２電線支持具８ｂとは独立して構成されてもよい。
【００７２】
第１電線支持具８ａの構造は、第２電線支持具８ｂの構造と同様である。よって、第１電線支持具８ａの構造についての詳細な説明は省略する。図２に示されるように、第１電線支持具８ａは、枠部材８１ａと、枠部材８１ａの開口部を開閉自在な開閉部材８２ａとを備える。
【００７３】
（スリーブカバー把持具９）
図２に記載の例では、スリーブ装着工具１Ｂは、スリーブカバーＳＣ（図１３等を参照）を把持するスリーブカバー把持具９を備える。スリーブカバー把持具９は、第１電線Ｗ１または第２電線Ｗ２に沿って配置されたスリーブカバーＳＣを把持する。スリーブカバー把持具９は、例えば、第１スライド棒４、第２スライド棒５、第１電線把持具７ａ、第２電線把持具７ｂのいずれかに取り付けられる。
【００７４】
スリーブ装着工具１Ｂがスリーブカバー把持具９を備える場合、第１電線の露出心線ＷＣ１および第２電線の露出心線ＷＣ２をスリーブＳＶに挿入する際に、スリーブカバーＳＣの移動が抑制され、スリーブカバーＳＣが作業の邪魔にならない。また、露出心線ＷＣ１および露出心線ＷＣ２が挿入されたスリーブＳＶを圧縮工具により圧縮する際に、スリーブカバーＳＣの移動が抑制され、スリーブカバーＳＣが作業の邪魔にならない。スリーブＳＶの圧縮後、スリーブカバーＳＣは、スリーブＳＶを覆う位置に移動され、スリーブカバーＳＣによって、スリーブＳＶと露出心線（ＷＣ１、ＷＣ２）との間の接続部が保護される。
【００７５】
図２に記載の例では、スリーブカバー把持具９は、第１スリーブカバーＳＣ１（図１３等を参照。）を把持する第１スリーブカバー把持具９ａと、第２スリーブカバーＳＣ２（図１５等を参照。）を把持する第２スリーブカバー把持具９ｂとを含む。第１スリーブカバー把持具９ａは、例えば、第１スライド棒４または第１電線把持具７ａに取り付けられ、第２スリーブカバー把持具９ｂは、例えば、第２スライド棒５または第２電線把持具７ｂに取り付けられる。
【００７６】
スリーブカバー把持具９が、第１スリーブカバー把持具９ａおよび第２スリーブカバー把持具９ｂを含む場合、スリーブカバーとして、第１スリーブカバーＳＣ１と第２スリーブカバーＳＣ２とに分割された分割型のスリーブカバーを用いることができる。分割型のスリーブカバーを用いる場合、各スリーブカバー（第１スリーブカバーＳＣ１、第２スリーブカバーＳＣ２）の長さが短くなる。よって、電線に多少の湾曲がある場合であっても、スリーブカバーを電線（第１電線Ｗ１または第２電線Ｗ２）に沿って移動させる作業を容易に実施することができる。なお、第１スリーブカバーＳＣ１と第２スリーブカバーＳＣ２とが、スリーブＳＶを覆う位置に移動された後、第１スリーブカバーＳＣ１と第２スリーブカバーＳＣ２とは互いに連結される。
【００７７】
図７を参照して、スリーブカバー把持具９の構造の一例についてより詳細に説明する。
【００７８】
図７に記載の例では、スリーブカバー把持具９は、スライド棒（例えば、第２スライド棒５）または電線把持具（例えば、第２電線把持具７ｂ）に取り付けられる取付部９３と、スリーブカバーＳＣを支持する支持部９５とを備える。
【００７９】
支持部９５には、閉状態と開状態との間で、支持部９５の状態を変化させるスリーブカバー把持具操作部９５２が設けられている。支持部９５が閉状態にあるとき、支持部９５はスリーブカバーＳＣを把持する。他方、支持部９５が開状態にあるとき、支持部９５にスリーブカバーＳＣを挿入したり、支持部９５からスリーブカバーＳＣを取り外したりすることが可能である。図７に記載の例では、スリーブカバー把持具操作部９５２は、遠隔操作工具の先端を受け入れ可能な貫通孔を有するアイボルト（ｅｙｅ  ｂｏｌｔ）またはアイナット（ｅｙｅ  ｎｕｔ）である。
【００８０】
図７に記載の例では、スリーブカバーＳＣを支持する支持部９５が、第１分割体９５８ａと第２分割体９５８ｂとを備える。そして、スリーブカバー把持具操作部９５２を操作することにより、第１分割体９５８ａと第２分割体９５８ｂとの間の間隔を調整可能である。図７に記載の例では、第１分割体９５８ａと第２分割体９５８ｂとが、第１方向に垂直な方向（第３方向）に沿って近接可能かつ離間可能である。なお、第１分割体９５８ａと第２分割体９５８ｂとの間の間隔が小さくなった状態が、スリーブカバーＳＣが把持される閉状態に対応し、第１分割体９５８ａと第２分割体９５８ｂとの間の間隔が拡大された状態が、スリーブカバーＳＣの把持状態が解除される開状態に対応する。
【００８１】
図７に記載のスリーブカバー把持具９は、図２に記載の第２スリーブカバー把持具９ｂとして採用可能である。また、図７に記載のスリーブカバー把持具９の鏡像体は、図２に記載の第１スリーブカバー把持具９ａとして採用可能である。
【００８２】
第２の実施形態におけるスリーブ装着工具１Ｂは、第１の実施形態におけるスリーブ装着工具１Ａと同様の効果を奏する。加えて、第２の実施形態におけるスリーブ装着工具１Ｂが、少なくとも１つの電線支持具８を備える場合には、第１電線Ｗ１の端部と、第２電線Ｗ２の端部とを振り分けることができる。この場合、第１電線Ｗ１の端部と第２電線Ｗ２の端部との間の意図せぬ接触（短絡）が抑制される。また、第２の実施形態におけるスリーブ装着工具１Ｂが、少なくとも１つのスリーブカバー把持具９を備える場合には、スリーブカバーＳＣの移動が防止される。このため、スリーブＳＶに露出心線を挿入する作業中、あるいは、スリーブＳＶを圧縮する作業中に、スリーブカバーＳＣが邪魔になることはない。なお、第２の実施形態における電線支持具８および／またはスリーブカバー把持具９の構成は、第１の実施形態において採用されてもよい。
【００８３】
（スリーブ装着方法）
図８乃至図１７を参照して、第２の実施形態におけるスリーブ装着方法の一例について説明する。図８は、第２の実施形態におけるスリーブ装着方法の一例を示すフローチャートである。図９乃至図１７の各々は、スリーブ装着方法の一工程を示す図である。
【００８４】
第１ステップＳＴ１０１において、スリーブ装着工具１Ｂが、電線Ｗに取り付けられる。当該取り付けは、電線Ｗに、第１電線把持具７ａおよび第２電線把持具７ｂを取り付けることにより実行される。図９に記載の例では、スリーブ装着工具１Ｂは、電線Ｗの被覆層が剥ぎ取られて心線ＷＣが露出している部分（露出部Ａ）に対向するように、電線Ｗに取り付けられている。代替的に、スリーブ装着工具１Ｂが電線Ｗに取り付けられた後に、電線Ｗの被覆層が剥ぎ取られて露出部Ａが形成されてもよい。
【００８５】
第１ステップＳＴ１０１において、電線Ｗは、電線支持具８（具体的には、第１電線支持具８ａおよび第２電線支持具８ｂ）によって支持されることが好ましい。電線Ｗを電線支持具８によって支持させる工程は、例えば、開閉部材（８２ａ、８２ｂ）を開位置に移動させ、電線Ｗを枠部材（８１ａ、８１ｂ）内に移動させ、その後、開閉部材（８２ａ、８２ｂ）を閉位置に移動させることにより実行される。なお、電線Ｗを電線支持具８によって支持させる工程と、電線Ｗに、第１電線把持具７ａおよび第２電線把持具７ｂを取り付ける工程とは、どちらの工程を先に実行してもよい。
【００８６】
第２ステップＳＴ１０２において、第１電線把持具７ａと第２電線把持具７ｂとの間隔を縮小させることにより、電線Ｗのうちの第１電線把持具７ａと第２電線把持具７ｂとの間に位置する部分を撓ませる（図１０を参照）。第２ステップＳＴ１０２は、スライド棒操作部６（例えば、第１スライド棒操作部６ａ）を操作して、第１スライド棒４を基部２側に引き込み、スライド棒操作部６（例えば、第２スライド棒操作部６ｂ）を操作して、第２スライド棒５を基部２側に引き込むことにより実行される。なお、第１スライド棒４の引き込み工程と、第２スライド棒５の引き込み工程とは、どちらの工程を先に実行してもよい。代替的に、第１スライド棒４の引き込み工程と、第２スライド棒５の引き込み工程とを交互に繰り返し実行してもよい。
【００８７】
第３ステップＳＴ１０３において、第１電線把持具７ａと第２電線把持具７ｂとの間において、電線Ｗが切断具によって切断される。当該切断により、電線Ｗは、第１電線Ｗ１と第２電線Ｗ２とに分離される。なお、切断位置は、電線Ｗのうち心線ＷＣが露出している部分（露出部Ａ）であることが好ましい。この場合、切断によって、第１電線Ｗ１の端部が露出心線ＷＣ１となり、第２電線Ｗ２の端部が露出心線ＷＣ２となる。なお、電線の切断前に電線の被覆層が剥ぎ取られるのに代えて、電線の切断後に、第１電線Ｗ１の端部および第２電線Ｗ２の端部の被覆層が剥ぎ取られるようにしてもよい。この場合、第１ステップＳＴ１０１の前に電線の被覆層を剥ぎ取る必要はない。
【００８８】
第３ステップＳＴ１０３において使用される切断具は、例えば、遠隔操作工具の先端に取り付けられた切断具である。図１１には、第３ステップＳＴ１０３が実行された後の状態が示されている。
【００８９】
図１２に示されるように、第４ステップＳＴ１０４において、第１電線Ｗ１の端部と、第２電線Ｗ２の端部とが振り分けられる（例えば、上下に振り分けられる）。第４ステップＳＴ１０４は、例えば、第２電線Ｗ２の端部を、第２電線支持具８ｂから第３電線支持具８ｃに向けて移動させ、第２電線Ｗ２の端部を第３電線支持具８ｃによって支持させることにより実行される。代替的に、第４ステップＳＴ１０４は、第２電線Ｗ２の端部を支持する第２電線支持具８ｂを、基部２の長手方向軸まわりに回転させることにより実行されてもよい。
【００９０】
第４ステップＳＴ１０４において、付加的に、第１電線Ｗ１の端部と第２電線Ｗ２の端部との間の距離を大きくするために、第１スライド棒４および／または第２スライド棒５が、基部２から突出する方向に移動されてもよい。当該移動は、スライド棒操作部６（具体的には、第１スライド棒操作部６ａおよび／または第２スライド棒操作部６ｂ）を操作することにより行われる。
【００９１】
第４ステップＳＴ１０４の実行後に、第１電線Ｗ１の端部および第２電線Ｗ２の端部のうちの一方に絶縁キャップＩＣ（図１３を参照）が装着されてもよい。あるいは、第１電線Ｗ１の端部および第２電線Ｗ２の端部の両方に絶縁キャップが装着されてもよい。
【００９２】
なお、上述の第１ステップＳＴ１０１乃至第４ステップＳＴ１０４の実行中、スリーブ支持具２１および心線支持具２６は開状態であることが好ましい。同様に、上述の第１ステップＳＴ１０１乃至第４ステップＳＴ１０４の実行中、スリーブカバー把持具９は開状態であることが好ましい。
【００９３】
図１３に示されるように、第５ステップＳＴ１０５において、第１スリーブカバーＳＣ１の内部を第１電線Ｗ１が通過するように第１スリーブカバーＳＣ１が押し込まれ、その後、第１スリーブカバーＳＣ１が第１スリーブカバー把持具９ａによって把持される。第５ステップＳＴ１０５は、例えば、絶縁性ヤットコ等の遠隔操作工具を用いて実行される。
【００９４】
なお、第１電線Ｗ１の端部に絶縁キャップが装着されている場合には、第５ステップＳＴ１０５の実行前に、第１電線Ｗ１の端部から絶縁キャップが取り外される。また、矢印Ｂで示されるように、第５ステップＳＴ１０５の実行前に、第１スライド棒４が基部２から突出する方向に移動されてもよい。
【００９５】
図１３に示されるように、第６ステップＳＴ１０６において、スリーブＳＶが、スリーブ支持具２１によって支持される。第６ステップＳＴ１０６において、まず、絶縁ヤットコ等の遠隔操作工具を用いて、スリーブＳＶがスリーブ支持具２１上に載置される。その後、遠隔操作工具を用いて、スリーブ支持具操作部２１２が操作され、スリーブ支持具２１の状態が開状態から閉状態に変更される。その結果、スリーブＳＶはスリーブ支持具２１によって位置決め支持される。なお、スリーブ支持具２１が、第１スリーブ支持具２１ａおよび第２スリーブ支持具２１ｂを含む場合には、スリーブＳＶは、第１スリーブ支持具２１ａおよび第２スリーブ支持具２１ｂによって位置決め支持される。
【００９６】
図１３に示されるように、第７ステップＳＴ１０７において、第１電線Ｗ１の露出心線ＷＣ１が第１心線支持具２６ａによって支持される。第７ステップＳＴ１０７において、まず、遠隔操作工具を用いて、露出心線ＷＣ１が第１心線支持具２６ａ内に移動される。その後、遠隔操作工具を用いて、第１心線支持具操作部２６２ａが操作され、第１心線支持具２６ａの状態が開状態から閉状態に変更される。その結果、露出心線ＷＣ１が、第１心線支持具２６ａによって拘束される。当該拘束により、スリーブＳＶと露出心線ＷＣ１との間の心出しが行われるとともに、第１電線Ｗ１の曲がり癖が矯正される。その結果、後続の工程（露出心線ＷＣ１をスリーブＳＶに挿入する工程）が円滑に実行される。
【００９７】
第７ステップＳＴ１０７は、第６ステップＳＴ１０６の前に実行されてもよい。
【００９８】
図１４に示されるように、第８ステップＳＴ１０８において、第１電線Ｗ１の露出心線ＷＣ１が、スリーブＳＶ内に挿入される。第８ステップＳＴ１０８は、スライド棒操作部６（例えば、第１スライド棒操作部６ａ）を操作して、第１スライド棒４を基部２側に引き込むことにより実行される。第８ステップＳＴ１０８の実行により、第１電線Ｗ１および第２電線Ｗ２の下方への撓みが減少する。また、第８ステップＳＴ１０８の実行により、第１スリーブカバーＳＣ１が、第１心線支持具２６ａに接近する。
【００９９】
第１スリーブカバー把持具９ａによって把持された第１スリーブカバーＳＣ１は、第１電線Ｗ１を直線形状に維持する拘束具としても機能する。よって、スリーブ装着工具１Ｂが第１スリーブカバー把持具９ａを備える場合には、露出心線ＷＣ１をスリーブＳＶ内に挿入する工程がより一層円滑に行われる。
【０１００】
図１５に示されるように、第９ステップＳＴ１０９において、スライド棒操作部６（例えば、第２スライド棒操作部６ｂ）が操作されて、第２スライド棒５が基部２から突出する方向に移動される。第９ステップＳＴ１０９の実行により、第２電線Ｗ２の露出心線ＷＣ２が、スリーブＳＶの第２方向側に退避する。なお、第９ステップＳＴ１０９の実行により、第１電線Ｗ１および第２電線Ｗ２の下方への撓みは増加する。
【０１０１】
なお、第２電線Ｗ２の端部に絶縁キャップが装着されている場合には、第９ステップＳＴ１０９の実行前に、第２電線Ｗ２の端部から絶縁キャップが取り外される。
【０１０２】
第１０ステップＳＴ１１０において、第２スリーブカバーＳＣ２の内部を第２電線Ｗ２が通過するように第２スリーブカバーＳＣ２が押し込まれ、その後、第２スリーブカバーＳＣ２が第２スリーブカバー把持具９ｂによって把持される。第１０ステップＳＴ１１０は、例えば、絶縁性ヤットコ等の遠隔操作工具を用いて実行される。なお、第１０ステップＳＴ１１０は、第２電線Ｗ２の端部を、第２スライド棒５の上方に移動させてから実行される。第２電線Ｗ２の端部の移動は、例えば、第２電線Ｗ２の端部を第３電線支持具８ｃ内から第２電線支持具８ｂ内に移し替えることを含む。
【０１０３】
第１１ステップＳＴ１１１において、第２電線Ｗ２の露出心線ＷＣ２が第２心線支持具２６ｂによって支持される。第１１ステップＳＴ１１１において、まず、遠隔操作工具を用いて、露出心線ＷＣ２が第２心線支持具２６ｂ内に移動される。その後、遠隔操作工具を用いて、第２心線支持具操作部２６２ｂが操作され、第２心線支持具２６ｂの状態が開状態から閉状態に変更される。その結果、露出心線ＷＣ２が、第２心線支持具２６ｂによって拘束される。当該拘束により、スリーブＳＶと露出心線ＷＣ２との間の心出しが行われるとともに、第２電線Ｗ２の曲がり癖が矯正される。
【０１０４】
図１６に示されるように、第１２ステップＳＴ１１２において、第２電線Ｗ２の露出心線ＷＣ２が、スリーブＳＶ内に挿入される。第１２ステップＳＴ１１２は、スライド棒操作部６（例えば、第２スライド棒操作部６ｂ）を操作して、第２スライド棒５を基部２側に引き込むことにより実行される。第１２ステップＳＴ１１２の実行により、第１電線Ｗ１および第２電線Ｗ２の下方への撓みが減少する。また、第１２ステップＳＴ１１２の実行により、第２スリーブカバーＳＣ２が、第２心線支持具２６ｂに接近する。
【０１０５】
第２スリーブカバー把持具９ｂによって把持された第２スリーブカバーＳＣ２は、第２電線Ｗ２を直線形状に維持する拘束具としても機能する。よって、スリーブ装着工具１Ｂが第２スリーブカバー把持具９ｂを備える場合には、露出心線ＷＣ２をスリーブＳＶ内に挿入する工程がより一層円滑に行われる。
【０１０６】
第１２ステップＳＴ１１２の実行後に、スリーブ支持具（２１ａ、２１ｂ）によるスリーブＳＶに対する拘束、心線支持具（２６ａ、２６ｂ）による露出心線に対する拘束、および、スリーブカバー把持具（９ａ、９ｂ）によるスリーブカバーに対する拘束が解除または低減されてもよい。これらの拘束の解除または低減は、スリーブ支持具操作部２１２、心線支持具操作部２６２、および、スリーブカバー把持具操作部９５２を遠隔操作工具によって操作することにより実行される。これらの拘束が解除または低減された状態で、第１スライド棒４および／または第２スライド棒５を基部２側に引き込むと、露出心線ＷＣ１および露出心線ＷＣ２が、スリーブＳＶのより深い位置まで挿入される。そして、スリーブ圧縮装置を用いてスリーブＳＶを圧縮することで、切り分けた第１電線Ｗ１と第２電線Ｗ２を接続できる。
【０１０７】
第１３ステップＳＴ１１３において、スリーブ装着工具１Ｂが、第１電線Ｗ１および第２電線Ｗ２から取り外される。
【０１０８】
第１４ステップＳＴ１１４において、第１スリーブカバーＳＣ１および第２スリーブカバーＳＣ２がスリーブＳＶを覆う位置に移動され、第１スリーブカバーＳＣ１と第２スリーブカバーＳＣ２とが連結される。
【０１０９】
本発明は上記各実施形態に限定されず、本発明の技術思想の範囲内において、各実施形態は適宜変形または変更され得ることが明らかである。また、各実施形態で用いられる任意の構成要素を、他の実施形態に組み合わせることが可能であり、また、各実施形態において任意の構成要素を省略することも可能である。
【０１１０】
例えば、図１または図２に記載の例では、スライド棒操作部６が、第１スライド棒４をスライド移動させる第１スライド棒操作部６ａと、第２スライド棒５をスライド移動させる第２スライド棒操作部６ｂを含む例について説明された。代替的に、図１８に示されるように、１つのスライド棒操作部６ｃが、第１スライド棒４および第２スライド棒５の各々を独立的に操作可能であってもよい。
【０１１１】
図１８に記載の例では、スライド棒操作部６ｃは、第１スライド棒４を駆動する第１荷重伝達機構６１、または、第２スライド棒５を駆動する第２荷重伝達機構６２に、選択的に連結可能である。より具体的には、スライド棒操作部６ｃは、操作部側係合部６３を備え、第１荷重伝達機構６１は、操作部側係合部６３に係合可能な第１係合部６１ａを備え、第２荷重伝達機構６２は、操作部側係合部６３に係合可能な第２係合部６２ａを備える。そして、操作部側係合部６３が、第１係合部６１ａまたは第２係合部６２ａに選択的に係合する。こうして、スライド棒操作部６ｃに作用する操作力を、第１係合部６１ａまたは第２係合部６２ａを介して、第１スライド棒４または第２スライド棒５に選択的に伝達することができる。
【０１１２】
図１８に記載の例では、スライド棒操作部６ｃは、基部２に対して相対移動可能に取り付けられている。スライド棒操作部６ｃと基部２との間には、付勢部材６４が介在されており、当該付勢部材６４は、スライド棒操作部６ｃを、第１係合部６１ａまたは第２係合部６２ａに向かう方向に付勢する。また、図１８に記載の例では、操作部側係合部６３に、第１係合部６１ａ（または第２係合部６２ａ）に吸着される磁石６５が配置されている。代替的に、あるいは、付加的に、第１係合部６１ａ、および、第２係合部６２ａの各々に、操作部側係合部６３を吸着する磁石が配置されていてもよい。
【０１１３】
図１８に記載の例では、第１荷重伝達機構６１は、第１係合部６１ａとともに回動する第１傘歯車６１ｂと、第１スライド棒４に螺合する第１ネジ棒６１ｃとともに回動する第２傘歯車６１ｅとを備える。このため、スライド棒操作部６ｃが第１軸ＡＴ１回りを回転するように操作されると、操作部側係合部６３に係合した第１係合部６１ａが第１傘歯車６１ｂとともに第１軸ＡＴ１回りを回転する。図１８に記載の例では、第１傘歯車６１ｂと第２傘歯車６１ｅとが互いに噛合している。よって、第１傘歯車６１ｂが第１軸ＡＴ１回りを回転すると、第１傘歯車６１ｂに噛合する第２傘歯車６１ｅが、第１ネジ棒６１ｃとともに、第１軸ＡＴ１に垂直な第２軸ＡＴ２まわりを回転する。第１ネジ棒６１ｃのネジ部６１ｄは、第１スライド棒４と螺合している。このため、第１ネジ棒６１ｃが第２軸ＡＴ２まわりを回転すると、第１スライド棒４が、第２軸ＡＴ２に沿う方向にスライド移動する。
【０１１４】
同様に、図１８に記載の例では、第２荷重伝達機構６２は、第２係合部６２ａとともに回動する第３傘歯車６２ｂと、第２スライド棒５に螺合する第２ネジ棒６２ｃとともに回動する第４傘歯車６２ｅとを備える。このため、スライド棒操作部６ｃが第３軸ＡＴ３回りを回転するように操作されると、操作部側係合部６３に係合した第２係合部６２ａが第３傘歯車６２ｂとともに第３軸ＡＴ３回りを回転する。図１８に記載の例では、第３傘歯車６２ｂと第４傘歯車６２ｅとが互いに噛合している。よって、第３傘歯車６２ｂが第３軸ＡＴ３回りを回転すると、第３傘歯車６２ｂに噛合する第４傘歯車６２ｅが、第２ネジ棒６２ｃとともに、第３軸ＡＴ３に垂直な第４軸ＡＴ４まわりを回転する。第２ネジ棒６２ｃのネジ部６２ｄは、第２スライド棒５と螺合している。このため、第２ネジ棒６２ｃが第４軸ＡＴ４まわりを回転すると、第２スライド棒５が、第４軸ＡＴ４に沿う方向にスライド移動する。なお、第４軸ＡＴ４と第２軸ＡＴ２とは、一直線上に配置された軸である。
【０１１５】
図１８に記載の例において、スライド棒操作部６ｃの操作部側係合部６３の係合対象を、第１係合部６１ａから第２係合部６２ａに切り替える場合を想定する。この場合、まず、遠隔操作工具を用いて、スライド棒操作部６ｃを、付勢部材６４による付勢力および／または磁石６５による吸着力に抗して、第１係合部６１ａから離間する方向に移動させる。次に、遠隔操作工具を用いて、スライド棒操作部６ｃを、第１係合部６１ａに対向する位置から第２係合部６２ａに対向する位置にスライド移動させる。基部２には、スライド棒操作部６ｃの当該スライド移動をガイドする長孔等のガイド部が設けられていることが好ましい。続いて、スライド棒操作部６ｃは、付勢部材６４による付勢力および／または磁石６５による吸着力により、第２係合部６２ａに係合する。
【０１１６】
スライド棒操作部６ｃの操作部側係合部６３の係合対象を、第２係合部６２ａから第１係合部６１ａに切り替える動作は、スライド棒操作部６ｃの操作部側係合部６３の係合対象を、第１係合部６１ａから第２係合部６２ａに切り替える動作と同様であるため、繰り返しとなる説明は省略する。
【０１１７】
図１９には、スリーブ支持具２１および心線支持具２６のうちの少なくとも一方を基部２の棒状部２０に取り付ける取付部２３の変形例が示されている。図１９に記載の例では、取付部２３が、基部２の棒状部２０に対して着脱可能である。
【０１１８】
図１９に記載の例では、取付部２３は、スリーブ支持具２１および心線支持具２６のうちの少なくとも一方が取り付けられた取付部ベース部材２３ａと、取付部ベース部材２３ａに対して相対移動可能なグリップ部材２３ｂとを備える。グリップ部材２３ｂが取付部ベース部材２３ａに対してグリップ位置にあるとき、グリップ部材２３ｂおよび取付部ベース部材２３ａによって取付部２３は、棒状部２０に固定される。他方、グリップ部材２３ｂが取付部ベース部材２３ａに対してグリップ開放位置にあるとき、取付部２３を、棒状部２０から取り外すこと（あるいは、取付部２３を、棒状部２０に取り付けること）が可能である。
【０１１９】
図１９に記載の例では、グリップ部材２３ｂは、取付部ベース部材２３ａに揺動可能に取り付けられており、グリップ部材２３ｂは、取付部ベース部材２３ａに対して第１揺動軸ＡＳ１まわりを揺動自在である。取付部ベース部材２３ａおよびグリップ部材２３ｂの各々は、棒状部２０の外面形状に相補的な内面（より具体的には、円弧状の面）を有する。取付部ベース部材２３ａの内面には、棒状部２０に対する滑りを抑制するための弾性体２４ａが配置されていてもよい。同様に、グリップ部材２３ｂの内面には、棒状部２０に対する滑りを抑制するための弾性体２４ｂが配置されていてもよい。
【０１２０】
図１９に記載の例では、グリップ部材２３ｂに、グリップ部材２３ｂをグリップ位置に保持するための磁石２３５が配置されている。磁石２３５は、取付部ベース部材２３ａによって吸着され、グリップ部材２３ｂをグリップ位置に保持する。代替的に、あるいは、付加的に、取付部ベース部材２３ａに、グリップ部材２３ｂをグリップ位置に保持するための磁石が配置されていてもよい。
【０１２１】
図１９に記載の例では、取付部２３は、グリップ部材２３ｂが、グリップ位置からグリップ開放位置に向けて移動するのを防止するロック部材２５を備える。ロック部材２５は、例えば、取付部ベース部材２３ａに揺動可能に取り付けられる。図１９に記載の例では、ロック部材２５は、取付部ベース部材２３ａに対して第２揺動軸ＡＳ２まわりを揺動自在である。
【０１２２】
取付部２３を棒状部２０に取り付けるに際しては、まず、取付部ベース部材２３ａを、棒状部２０の周囲に配置する。次に、グリップ部材２３ｂを、グリップ開放位置からグリップ位置に向けて移動させる。こうして、取付部２３が棒状部２０に取り付けられる。続いて、ロック部材２５を、ロック開放位置からロック位置に移動させることにより、グリップ部材２３ｂがグリップ位置から移動しないようにロックされる。
【０１２３】
取付部２３を棒状部２０から取り外すに際しては、取付部２３を棒状部２０に取り付ける動作と逆の動作を実行すればよい。
【０１２４】
図１９に記載の例では、取付部２３が、取付部ベース部材２３ａとグリップ部材２３ｂとを備える。このため、取付部２３を、簡単な操作で、基部２の棒状部２０に取り付けることができ、また、取付部２３を、簡単な操作で、基部２の棒状部２０から取り外すことができる。さらに、取付部２３を、簡単な操作で、棒状部２０に取り付けることができることは、取付部２３を、簡単な操作で、棒状部２０の長手方向に沿って位置変更できることを意味する。この場合、使用するスリーブＳＶの長さ等に応じて、棒状部２０に対する取付部２３の取り付け位置を簡単に調整することができる。
【０１２５】
図２０には、スリーブ支持具２１および心線支持具２６のうちの少なくとも一方を開閉する開閉操作機構Ｍの変形例が示されている。図４あるいは図５に記載の例では、スリーブ支持具２１あるいは心線支持具２６の開閉が、アイボルト、アイナット等の操作部（２１２；２６２）を回転させることにより行われた。これに対し、図２０に記載の例では、スリーブ支持具２１あるいは心線支持具２６の開閉が、揺動式の操作レバー（２１２ａ；２６２ａ）により行われる。操作レバー（２１２ａ；２６２ａ）は、例えば、トグルレバーである。
【０１２６】
図２０を参照して、揺動式の操作レバー（２１２ａ；２６２ａ）により、スリーブ支持具２１あるいは心線支持具２６の開閉が行われるメカニズムの一例について説明する。
【０１２７】
図２０に記載の例では、操作レバー（２１２ａ；２６２ａ）が第１位置（例えば、上側位置）にあるとき、支持具（２１；２６）は開放状態にある。図２０に記載の例では、支持具（２１；２６）の開放状態は、第１分割体（２１８ａ；２６８ａ）と第２分割体（２１８ｂ；２６８ｂ）とが離間配置された状態を意味する。図２０に記載の例では、操作レバー（２１２ａ；２６２ａ）が第２位置（例えば、下側位置）にあるとき、支持具（２１；２６）は閉鎖状態にある。図２０に記載の例では、支持具（２１；２６）の閉鎖状態は、第１分割体（２１８ａ；２６８ａ）と第２分割体（２１８ｂ；２６８ｂ）とが近接配置された状態を意味する。
【０１２８】
図２０に記載の例では、操作レバー（２１２ａ；２６２ａ）が第１位置（上側位置）から第２位置（下側位置）に移動すると、第１押圧体２７ａが、第１分割体（２１８ａ；２６８ａ）を、第２分割体に向かう方向に押圧し、第２押圧体２７ｂが、第２分割体（２１８ｂ；２６８ｂ）を、第１分割体に向かう方向に押圧する。こうして、支持具（２１；２６）が閉鎖状態となる。
【０１２９】
図２０に記載の例では、第１分割体（２１８ａ；２６８ａ）と第２分割体（２１８ｂ；２６８ｂ）との間に付勢部材２８が配置されている。付勢部材２８は、第１分割体（２１８ａ；２６８ａ）および第２分割体（２１８ｂ；２６８ｂ）が互いに離間する方向に、第１分割体（２１８ａ；２６８ａ）および第２分割体（２１８ｂ；２６８ｂ）を付勢する。このため、操作レバー（２１２ａ；２６２ａ）が第２位置（下側位置）から第１位置（上側位置）に移動すると、付勢部材２８が、第１分割体（２１８ａ；２６８ａ）を、第２分割体から離れる方向に押圧し、付勢部材２８が、第２分割体（２１８ｂ；２６８ｂ）を、第１分割体から離れる方向に押圧する。こうして、支持具（２１；２６）が開放状態となる。
【０１３０】
図２０に記載の例では、第１押圧体２７ａが固定された第１シャフト２９ａが、操作レバー（２１２ａ；２６２ａ）に取り付けられた第１ピン２９ｃに枢着されている。また、第２押圧体２７ｂが第１シャフト２９ａの長手方向に沿って摺動自在であり、かつ、第２押圧体２７ｂが、連結部材ＣＮを介して、操作レバー（２１２ａ；２６２ａ）に取り付けられている。より具体的には、連結部材ＣＮは、第２ピン２９ｄを介して、第２押圧体２７ｂに枢動可能に取り付けられ、かつ、第３ピン２９ｅを介して、操作レバー（２１２ａ；２６２ａ）に枢動可能に取り付けられている。
【０１３１】
図２０に記載の例において、操作レバー（２１２ａ；２６２ａ）が第１位置（上側位置）から第２位置（下側位置）に移動することにより、操作レバー（２１２ａ；２６２ａ）が第３ピン２９ｅのまわりを回動すると、第１ピン２９ｃが、第３ピン２９ｅのまわりを回動する。その結果、第１ピン２９ｃに接続された第１シャフト２９ａおよび第１押圧体２７ａが第２押圧体２７ｂに近づく方向に移動する。こうして、支持具（２１；２６）が閉鎖状態となる。
【０１３２】
図２０に記載の例では、支持具（２１；２６）に、位置決めストッパ（より具体的には、センタリングピンＣＰ）が設けられている。このため、支持具（２１；２６）が閉鎖状態にあるとき、支持具（２１；２６）は、位置決めストッパにより規定される位置に位置決めされる。図２０に記載の例では、位置決めストッパにより規定される位置は、棒状部２０の中心軸の直上位置に対応する。
【０１３３】
より具体的には、第１分割体（２１８ａ；２６８ａ）は、位置決めストッパに係合可能な係合部ＥＮ１を備える。このため、第１分割体（２１８ａ；２６８ａ）は、位置決めストッパを超えて第２分割体側に移動することができない。また、第２分割体（２１８ｂ；２６８ｂ）は、位置決めストッパに係合可能な係合部ＥＮ２を備える。このため、第２分割体（２１８ｂ；２６８ｂ）は、位置決めストッパを超えて第１分割体側に移動することができない。こうして、第１分割体（２１８ａ；２６８ａ）および第２分割体（２１８ｂ；２６８ｂ）は、位置決めストッパが配置された位置で、互いに接触することとなる。
【０１３４】
なお、開閉操作機構Ｍには、株式会社ミスミ社製のトグルクランプ（型番：ＭＣ０２−Ｓ２）が用いられてもよい。
【０１３５】
図２０に記載の例では、揺動式の操作レバー（２１２ａ；２６２ａ）によって、支持具（２１；２６）が開閉される。よって、遠隔操作工具を用いて、支持具（２１；２６）の開閉を容易に行うことができる。
【産業上の利用可能性】
【０１３６】
本発明のスリーブ装着工具およびスリーブ装着方法を用いると、第１電線および第２電線の全体の弛みを抑制しつつ、簡単な操作で、第１電線の露出心線および第２電線の露出心線にスリーブＳＶを装着することができる。したがって、スリーブ装着工具の製造業者、スリーブ装着作業を実施する業者にとって有用である。
【符号の説明】
【０１３７】
１、１Ａ、１Ｂ  スリーブ装着工具
２  基部
４  第１スライド棒
５  第２スライド棒
６  スライド棒操作部
６ａ  第１スライド棒操作部
６ｂ  第２スライド棒操作部
６ｃ  スライド棒操作部
７  電線把持具、７ａ  第１電線把持具、７ｂ  第２電線把持具
８  電線支持具、８ａ  第１電線支持具、８ｂ  第２電線支持具、８ｃ  第３電線支持具
９  スリーブカバー把持具、９ａ  第１スリーブカバー把持具、９ｂ  第２スリーブカバー把持具
２０  棒状部、２０ａ  第１方向側端部、２０ｂ  第２方向側端部
２１  スリーブ支持具、２１ａ  第１スリーブ支持具  ２１ｂ  第２スリーブ支持具
２３  取付部、２３ａ  取付部ベース部材、２３ｂ  グリップ部材、２４ａ  弾性体、
２４ｂ  弾性体、２５  ロック部材
２６  心線支持具、２６ａ  第１心線支持具、２６ｂ  第２心線支持具
２７ａ  第１押圧体、２８ａ  第２押圧体、２８  付勢部材
２９ａ  第１シャフト、２９ｃ  第１ピン、２９ｄ  第２ピン、２９ｅ  第３ピン
６１  第１荷重伝達機構、６１ａ  第１係合部、６１ｂ  第１傘歯車、６１ｃ  第１ネジ棒、６１ｄ  ネジ部、６１ｅ  第２傘歯車
６２  第２荷重伝達機構、６２ａ  第２係合部、６２ｂ  第３傘歯車、６２ｃ  第２ネジ棒、６２ｄ  ネジ部、６２ｅ  第４傘歯車
６３  操作部側係合部
６４  付勢部材
６５  磁石
７１  第１把持片
７２  第２把持片
７４  第１接続部
７６  第２接続部
８１ａ、８１ｂ、８１ｃ  枠部材
８２ａ、８２ｂ、８２ｃ  開閉部材
９３  取付部
９５  支持部
２１０  支持部
２１２  スリーブ支持具操作部
２１２ａ  操作レバー
２１４  第１部分、２１４ａ  端面支持面、２１４ｂ  外周面支持面
２１５  スリーブ受容部
２１６  第２部分、２１６ａ  テーパ面
２１７  心線案内路
２１８ａ  第１分割体、２１８ｂ  第２分割体
２１９  ガイド部材、２１９ｃ  ガイド表面
２３１  貫通孔
２３５  磁石
２６０  支持部
２６２  心線支持具操作部、２６２ａ  第１心線支持具操作部、２６２ｂ  第２心線支持具操作部
２６２ａ  操作レバー
２６７  心線受容部
２６８ａ  第１分割体、２６８ｂ  第２分割体
２６９  ガイド部材、２６９ｃ  ガイド表面
９５２  スリーブカバー把持具操作部
９５８ａ  第１分割体、９５８ｂ  第２分割体、
Ａ  露出部、ＡＳ１  第１揺動軸、ＡＳ２  第２揺動軸、ＡＴ１  第１軸、ＡＴ２  第２軸、ＡＴ３  第３軸、ＡＴ４  第４軸、ＡＸ１  回転軸、ＣＮ  連結部材、ＣＰ  センタリングピン、ＥＮ１  係合部、ＥＮ２  係合部、Ｍ  開閉操作機構、Ｇ  隙間、ＩＣ  絶縁キャップ、ＳＣ  スリーブカバー、ＳＣ１  第１スリーブカバー、ＳＣ２  第２スリーブカバー、ＳＰ  受容空間、ＳＶ  スリーブ、Ｗ  電線、Ｗ１  第１電線、Ｗ２  第２電線、ＷＣ  心線、ＷＣ１  露出心線、ＷＣ２  露出心線
【図１】
2019176595.tif 000003
【図２】
2019176595.tif 000004
【図３】
2019176595.tif 000005
【図４】
2019176595.tif 000006
【図５】
2019176595.tif 000007
【図６】
2019176595.tif 000008
【図７】
2019176595.tif 000009
【図８】
2019176595.tif 000010
【図９】
2019176595.tif 000011
【図１０】
2019176595.tif 000012
【図１１】
2019176595.tif 000013
【図１２】
2019176595.tif 000014
【図１３】
2019176595.tif 000015
【図１４】
2019176595.tif 000016
【図１５】
2019176595.tif 000017
【図１６】
2019176595.tif 000018
【図１７】
2019176595.tif 000019
【図１８】
2019176595.tif 000020
【図１９】
2019176595.tif 000021
【図２０】
2019176595.tif 000022